(57)【要約】【課題】  手動の用紙切断具において、切断用の下敷を使用しないで、直線定規のみで机面に疵を付けることなしに直線切断を行う。【解決手段】  直線定規の上面と側面の両面に沿って摺動するための案内と、前記側面の案内面と同一面に鋭利刃先をもつ刃物を有し、前記上面の案内は、前記刃物よりも進行方向の前方へ突出し、前記側面の案内は前記刃物より進行方向前方へ突出しない構造の手動紙切断具。【選択図】  図１
2005087669.tif 000002
【特許請求の範囲】
【請求項１】
直線定規の上面と側面の両面に沿って摺動するための案内と、前記側面の案内面と同一面に鋭利刃先をもつ刃物を有し、前記上面の案内は、前記刃物よりも進行方向前方へ突出し、前記側面の案内は、前記刃物より進行方向前方へ突出しない構造の手動紙切断具。
【請求項２】
刃物を可動するように保持して、使用時に刃先を突出させる構造を特徴とする請求項１に記載の手動紙切断具。
【請求項３】
刃物を回転可能に保持して、前記刃物の後端部を直線定規の厚さよりも大きく突出させて、使用時に前記後端部が押し込まれることによって、前記刃物の刃先が突出する構造を特徴とする請求項２に記載の手動紙切断具。
【発明の詳細な説明】
【技術分野】
【０００１】  この発明は、手動で紙などのシート材を直線に切断するために使用する手動紙切断具に関する。
【背景技術】
【０００２】  １枚あるいは複数枚の紙などのシート材を直線に切断するためには、カッターナイフとカッターナイフを案内するための直線定規と机面の疵防止およびカッターナイフの刃先の損耗を抑えるための切断用下敷を用いる。
【発明の開示】
【発明が解決しようとする課題】
【０００３】  用紙の切断を行うたびに、カッターナイフ、直線定規、切断用下敷の三点を準備するのは面倒であり、また、通常のはさみで直線に切断するのはむずかしい。
【課題を解決するための手段】
【０００４】  本発明の手動紙切断具は、直線定規の上面と側面の両面に沿って摺動するための案内と、前記側面の案内面と同一面に鋭利刃先をもつ刃物を有し、前記上面の案内は、前記刃物よりも進行方向の前方へ突出し、前記側面の案内は前記刃物より進行方向前方へ突出しない構造である。
【発明の効果】
【０００５】  本発明は、切断用下敷を用いないで、一般事務用の直線定規のみを用いて、机面に疵を付けることなく、用紙を直線に切断することのできる手動紙切断具を提供する。
【発明を実施するための最良の形態】
【０００６】  本発明は、一般事務用の直線定規を利用して、簡便に用紙を直線切断するものであるので、鋭利な刃先を有する薄板刃物を合成樹脂製の本体に取り付けた構成が、滑らかな摺動が得られ、また安価に製作できる点で望ましく、以下実施例によって説明する。
【実施例１】
【０００７】  図１および図２は、本発明の実施例１を示し、図１は全体の斜視図、図２は手動紙切断具本体部分の拡大斜視図である。【０００８】  手動紙切断具１の案内面２と刃物３の内側の面４は、各々直線定規５の上面６と側面７に沿って摺動し、案内面２は、刃先８よりも矢印Ａで示す進行方向の前方に突出している。【０００９】  このように構成した本発明の手動紙切断具１では、直線定規５の角９を切断位置として紙１０を置いて、案内面２および面４をそれぞれ直線定規５の上面６と側面７に押し付けながら、前方に突出した案内面２で紙１０を押え、ついで矢印Ａの方向に摺動させると、紙１０は直線定規５の角９の位置で直線に切断される。【００１０】  刃物の刃先は、進行方向に対して斜めに傾いていることが望ましく、このようにすれば紙に対して、刃先は一層鋭角となり、また切断後の紙を上方あるいは下方に誘導して滑らかな切断動作を行うことができる。【００１１】  一般の直線定規は、厚さ２ｍｍないし３ｍｍ程度であるので、定規側面を案内する部分の下方への突出は２ｍｍを越えない程度とすることが望ましい。
【実施例２】
【００１２】  図３は、本発明の実施例２の手動紙切断具１１を示し、直線定規（図示していない）の側面を摺動する案内面１２は、直線定規の上面を摺動する案内１３と一体の合成樹脂部材で構成され、刃物１４の内側の面１５は案内面１２と同一面となるように配置され、刃物１４よりも厚い部分は、進行方向Ａに対して刃先１６よりも後方にあり、切断後の用紙（図示していない）を下方に誘導する傾斜面１７を有している。【００１３】  このように構成した実施例２の手動紙切断具では、摺動面が自己潤滑性のある樹脂であるので、樹脂あるいはアルミニウムなどの材質でつくられた直線定規に対して、繰り返し使用による損傷を与えることが少なく、滑らかに摺動させることができ、また刃物部分の大半を樹脂で覆う形状となるので、取扱いの安全面でも有利である。
【実施例３】
【００１４】  図４は、本発明の実施例３の手動紙切断具１８を示し、直線定規５の上面６を案内するのは、ローラー１９であり、周縁に鋭利刃先をもち回転可能な円形刃物２０を有している。【００１５】  このように構成した実施例３の手動紙切断具では、ローラーの転動により紙面を摩擦することがなく、軽く動かせると同時に、円形刃物は周縁の全長に亙って刃先があるので、耐久性も高い。
【実施例４】
【００１６】  図５ないし図７は、本発明の実施例４の手動紙切断具２１を示し、図５は、使用しないときの斜視図、図６は使用しないときの断面図、図７は、使用状態の断面図である。【００１７】  刃物２２は、軸２３で取り付けられており、使用しないときは、ばね２４により刃先２５が外部へ突出しない位置に引っ込んでいるが、使用するときは、直線定規５の上に案内面２６を押し付けると、刃物２２の後端２７が机面２８に押されて回転して、刃先２５は下方の切断位置に突出し、直線定規５の側面７に対しては、刃物２２の刃先側の面２９が案内面となって、矢印Ａ方向に移動させると、紙１０は直線に切断される。【００１８】  このように構成した実施例４の手動切断具では、使用しないとき刃先が引っ込んでいるので、取扱い上安全であり、不使用時には刃先が完全に内部に隠れて見えない構造とすることもできる。【００１９】  一般の直線定規は、厚さ２ｍｍないし３ｍｍ程度であるので、不使用時の刃物後端の突出量と使用時の刃先の突出量は、これにあわせて適宜選定すべきであり、使用する直線定規の厚さが異なれば、切断する刃先の位置が変化するので、耐久性の点で有利である。
【図面の簡単な説明】
【００２０】
【図１】  本発明の実施例１を示す斜視図である。
【図２】  図１の手動紙切断具本体部分の部分拡大斜視図である。
【図３】  本発明の実施例２を示す斜視図である。
【図４】  本発明の実施例３を示す正面図である。
【図５】  本発明の実施例４の不使用時の状態を示す斜視図である。
【図６】  図５の断面図である。
【図７】  図５の使用時の状態を示す断面図である。
【符号の説明】
【００２１】１、１１、１８、２１        手動紙切断具
２、１３、                  上面の案内面
３、１４、２２              刃物
４、１２、２９              側面の案内面
５                          直線定規
６                          定規上面
７                          定規側面
８、１５、２５              刃先
９                          定規の角
１０                        紙
１７                        傾斜面
１９                        ローラー
２０                        円形刃物
２８                        机面
【図１】
2005087669.tif 000003
【図２】
2005087669.tif 000004
【図３】
2005087669.tif 000005
【図４】
2005087669.tif 000006
【図５】
2005087669.tif 000007
【図６】
2005087669.tif 000008
【図７】
2005087669.tif 000009